(57)【要約】【課題】ランプ等の消耗品の交換、その他のメンテナンスといった装置内部作業において、作業性を高めること。【解決手段】上部ハウジング３は、ＸｅＦランプ１２と、該ＸｅＦランプ１２に一端が結合しＸｅＦランプ１２と同軸方向に延びるトリガソケット１４とを収容し、トリガソケット１４の収容部分を開閉するための蓋部９を有する。下部ハウジング４は、ＸｅＦランプ１２と電気的に接続されたトリガソケット１４に電源を供給するための電源部を収容する。蓋部９は、トリガソケット１４の軸上の他端と対向する上部ハウジング３の所定一面（背面３ａ）において少なくとも一部と、所定一面と隣り合う両側面（左側面３ｃ、右側面３ｄ）のうち少なくとも一面において一部とが一体化されてなる。この蓋部９は、所定一面に対して設けられたヒンジ部材２０を介して、上部ハウジングの本体部に対して開閉自在である。【選択図】図４
2008047364.tif 000002
【特許請求の範囲】
【請求項１】
内部が上部と下部とに仕切られたハウジングを有する光源装置であって、
前記ハウジングの上部に設けられ、ランプと、前記ランプに一端が結合し前記ランプと同軸方向に延びるトリガソケットとを収容し、前記トリガソケットの収容部分を開閉するための蓋部を有する上部ハウジングと、
前記ハウジングの下部に設けられ、前記ランプと電気的に接続された前記トリガソケットに電源を供給するための電源部を収容する下部ハウジングとを備え、
前記蓋部は、
前記ハウジングのうちで前記トリガソケットの前記軸上の他端と対向する所定一面の少なくとも一部である主蓋部と、前記所定一面と隣り合う少なくとも一つの側面の一部である側面部とが一体化されてなり、
前記蓋部とともに前記上部ハウジングを構成する本体部に対し、前記所定一面に対して設けられたヒンジ部材を介して開閉可能に取り付けられていることを特徴とする光源装置。
【請求項２】
前記ヒンジ部材は前記蓋部の下部に設けられていることを特徴とする請求項１記載の光源装置。
【請求項３】
前記ヒンジ部材の一端は前記蓋部に取り付けられ、前記ヒンジ部材の他端は前記下部ハウジングに取り付けられていることを特徴とする請求項１又は請求項２記載の光源装置。
【請求項４】
前記蓋部において、前記側面部の形状は、前記ヒンジ部材による開閉軸を中心とする扇形状の形状であることを特徴とする請求項１〜３の何れか１項に記載の光源装置。
【請求項５】
前記本体部において、前記側面部の前記扇形状の形状における円弧部分と接する部分である接続部には、前記円弧部分をスライドさせるための本体部スライド部が設けられていることを特徴とする請求項４に記載の光源装置。
【請求項６】
前記蓋部において、前記円弧部分には、前記接続部にスライドされるための蓋部スライド部が設けられていることを特徴とする請求項４又は請求項５記載に記載の光源装置。
【請求項７】
前記トリガソケットと電気的に接続されたコネクタに着脱自在であって、前記電源部からの電源を前記トリガソケットに供給するための電源供給連結部が、前記上部ハウジングの内部において前記蓋部によって開放される領域に設けられることを特徴とする請求項１〜６の何れか１項に記載の光源装置。
【請求項８】
前記蓋部は、前記主蓋部と、前記所定一面と隣り合う両側面それぞれの一部とが一体化されてなることを特徴とする請求項１〜７の何れか１項に記載の光源装置。
【請求項９】
前記上部ハウジングの前記所定一面には、通風孔が設けられるとともに、前記通風孔に対して送風ファンが設けられていることを特徴とする請求項１〜８の何れか１項に記載の光源装置。
【発明の詳細な説明】
【技術分野】
【０００１】
本発明は、光源装置に関するものである。
【背景技術】
【０００２】
ランプと該ランプを点灯させるための装置各部とがハウジングの内部に配置された光源装置が知られている。このような光源装置におけるランプ等は消耗品であるため、例えば一定の使用頻度を越えた場合には交換が必要となる。ランプ等の消耗品を交換する際には、例えば特許文献１に記載されているように、ユーザは、ハウジングの或る一面に設けられた開口から当該消耗品を取り出して交換作業を行っていた。或いは、ユーザは、ハウジングの或る一面に設けられた開口に手を差し込んで交換作業を行っていた。
【特許文献１】特許第２７５７８６６号公報
【発明の開示】
【発明が解決しようとする課題】
【０００３】
しかしながら、上記特許文献１に記載されたように、ハウジングの或る一面にしか開口が設けられていない場合には、光源装置内部に対する作業や確認が一方向からしかできなかった。このため、ランプ等の消耗品の交換、その他のメンテナンスといった装置内部作業において、作業性が低いという問題点があった。更に、昨今では、装置の小型化が進んでおり、ハウジングの或る一面に設けることが可能な開口の大きさには限界がある。
【０００４】
そこで、本発明は上記に鑑みてなされたもので、ランプ等の消耗品の交換、その他のメンテナンスといった装置内部作業において、作業性を高めることが可能な光源装置を提供することを目的とする。
【課題を解決するための手段】
【０００５】
上記課題を解決するために、本発明の光源装置は、内部が上部と下部とに仕切られたハウジングを有する光源装置であって、ハウジングの上部に設けられ、ランプと、ランプに一端が結合しランプと同軸方向に延びるトリガソケットとを収容し、トリガソケットの収容部分を開閉するための蓋部を有する上部ハウジングと、ハウジングの下部に設けられ、ランプと電気的に接続されたトリガソケットに電源を供給するための電源部を収容する下部ハウジングとを備え、蓋部は、ハウジングのうちでトリガソケットの軸上の他端と対向する所定一面の少なくとも一部である主蓋部と、所定一面と隣り合う少なくとも一つの側面の一部である側面部とが一体化されてなり、蓋部とともに上部ハウジングを構成する本体部に対し、所定一面に対して設けられたヒンジ部材を介して開閉可能に取り付けられている。
【０００６】
このような本発明の光源装置によれば、ランプ及びトリガソケット等を収容している上部ハウジングは、開閉自在に備えられた蓋部によって、一部が開放される。この蓋部は、上部ハウジングの所定一面の少なくとも一部と、所定一面と隣り合う両側面のうち少なくとも一面の一部とが一体化されてなる。このため、ヒンジ部材を介して、トリガソケットの収容部分の一部が開放される際には、上部ハウジングの或る一つの面のみが開放されることではなく、一体化された上記所定一面および側面が共に開放される。つまり、ユーザは、蓋部によって開放されトリガソケットに接近可能な領域を複数の面にわたって広く確保することができる。したがって、ランプ等の消耗品の交換、その他のメンテナンスといった装置内部作業において、作業性を高めることができる。
【０００７】
また、光源装置において、ヒンジ部材は蓋部の下部に設けられている。
【０００８】
このように、蓋部の下部にヒンジ部材が設けられる場合には、光源装置の上方に空間的な余裕があるかないかにかかわらず、蓋部による開閉が可能となる。
【０００９】
また、光源装置において、ヒンジ部材の一端は蓋部に取り付けられ、ヒンジ部材の他端は下部ハウジングに取り付けられている。
【００１０】
この発明によれば、蓋部は、ヒンジ部材を介して、下部ハウジングに取り付けられている。このため、蓋部が開けられて上部ハウジングの本体部から離れたときに、蓋部は、上部ハウジングの下の下部ハウジング側に位置される。したがって、ユーザが開放された上部ハウジングの領域にて上記装置内部作業をする際に、蓋部が邪魔になることを防止することができる。
【００１１】
また、光源装置の蓋部において、側面部の形状は、ヒンジ部材による開閉軸を中心とする扇形状の形状である。
【００１２】
この発明によれば、蓋部は、滑らかな円状の縁を有する。このため、ユーザが上部ハウジング開放後の上記装置内部作業をする際に、作業安全性を向上させることができる。
【００１３】
また、光源装置の上部ハウジングの本体部において、側面部の扇形状の形状における円弧部分と接する部分である接続部には、円弧部分をスライドさせるための本体部スライド部が設けられている。
【００１４】
この発明によれば、側面部の円弧部分と接する接続部に設けられた本体部スライド部は、蓋部の開閉時に、側面部の円弧部分に対するガイドになることができる。このため、側面部は、この本体部スライド部を介して、スムーズに移動することができる。
【００１５】
また、光源装置の蓋部において、円弧部分には、接続部にスライドされるための蓋部スライド部が設けられている。
【００１６】
この発明によれば、円弧部分に設けられた蓋部スライド部は、蓋部の開閉時に、上部ハウジングの本体部の接続部に対するガイドになることができる。このため、側面部は、この蓋部スライド部を介して、スムーズに移動することができる。
【００１７】
また、光源装置において、トリガソケットと電気的に接続されたコネクタに着脱自在であって、電源部からの電源をトリガソケットに供給するための電源供給連結部が、上部ハウジングの内部において蓋部によって開放される領域に設けられる。
【００１８】
この発明によれば、蓋部によって開放された領域に、電源供給連結部が設けられる。このため、ユーザが電源供給連結部からコネクタを外すときの着脱作業性を向上させることができる。
【００１９】
また、光源装置において、蓋部は、主蓋部と、所定一面と隣り合う両側面それぞれの一部とが一体化されてなる。
【００２０】
この場合に、ユーザは、蓋部によって開放される領域をより広く確保することができる。したがって、上部ハウジング開放後の上記装置内部作業をする際の作業性をより高めることができる。更に、所定一面と隣り合う両側面において開放されるため、ユーザの利き手がどちらかによって作業性が変化することを防止できる。
【００２１】
また、光源装置において、上部ハウジングの所定一面には、通風孔が設けられるとともに、通風孔に対して送風ファンが設けられている。
【００２２】
この場合に、トリガソケットの他端と対向する上部ハウジングの所定一面に設けられた送風ファンは、トリガソケットの冷却効率を向上させることができる。
【発明の効果】
【００２３】
本発明によれば、ランプ等の消耗品の交換、その他のメンテナンスといった装置内部作業において、作業性を高めることができる。
【発明を実施するための最良の形態】
【００２４】
以下、添付図面を参照して本発明にかかる光源装置の好適な実施形態を詳細に説明する。なお、図面の説明において同一の要素には同一の符号を付し、重複する説明を省略する。また、図面の寸法比率は、説明のものと必ずしも一致していない。
【００２５】
図１は、本実施形態に係るフラッシュ光源装置１（光源装置）の外面構成を示す斜視図である。フラッシュ光源装置１のハウジング２は、図１に示すように、上部ハウジング３と下部ハウジング４との２つの部分からなる。上部ハウジング３は、その一面に光出射口７を有する。以下、光出射口７の位置する光出射面をハウジング２の前面という。このことに対応付けて、上部ハウジング３は、前面３ａ、背面３ｂ（所定一面）、左側面３ｃ、右側面３ｄ、上面３ｅからなる。また、下部ハウジング４は、前面４ａ、背面４ｂ、左側面４ｃ、右側面４ｄ、底面４ｅからなる。ただし、これらの各面の前後左右等の名称は説明のため便宜的に付したものであって、フラッシュ光源装置１における前後方向など、実際の装置構成や機能に必ずしもよるものではない。
【００２６】
フラッシュ光源装置１は、上部ハウジング３及びその内部に設置された各要素から構成されて、光を出射させる光源部５と、下部ハウジング４及びその内部に設置された各要素から構成されて、装置を動作させる駆動部６と、を備えている。
【００２７】
光源部５においては、上部ハウジング３の内部に、後述するキセノンフラッシュランプ（以下、「ＸｅＦランプ」という。）、トリガソケット、反射ミラー等が配置されており、フラッシュ光源装置１の光学系が構成されている。上部ハウジング３の前面３ａには、生成された光を外部に出射するための略円形の開口部分である光出射口７が設置されている。図１においては、光出射口７にはファイバ差込口７ａが取り付けられており、このファイバ差込口７ａにライトガイドとしてファイバ７ｂが接続されている。これによって、フラッシュ光源装置１から外部への光の出射が行われる。また、上部ハウジング３の背面３ｂ側には、蓋部９が設けられている。この蓋部９は、後述するように、上部ハウジング３の内部に配置された装置各部の交換やメンテナンス時に、上部ハウジング３の内部を開放するためのものである。
【００２８】
一方、駆動部６においては、下部ハウジング４の内部に、光源部５の装置各部を駆動制御する駆動装置が格納されており、フラッシュ光源装置１の駆動系が構成されている。下部ハウジング４の前面４ａには、ユーザが駆動装置等に対して動作のＯＮ／ＯＦＦや動作状態を指示するための操作パネル８が設置されている。また、下部ハウジング４の左側面４ｃ及び右側面４ｄには、ハウジング２内の装置各部を冷却するための外気取込口１０が設けられている。
【００２９】
引き続いて、フラッシュ光源装置１の内部構成について、図２を参照しながら説明する。図２は、フラッシュ光源装置１の内部構成について、上部ハウジング３の右側面３ｄ及び光学ボックス１１の一部等を外した状態の右側面図である。
【００３０】
図２を参照すると、上部ハウジング３の内部には、装置前方に、前面１１ａ、背面１１ｂ、左側面、右側面、上面及び底面からなる光学ボックス１１が配置されている。光学ボックス１１の前面１１ａには、上部ハウジング３の前面３ａに設けられた光出射口７に向けて光を通過させるための略円形状の出射開口部１１ｃが設けられている。出射開口部１１ｃ及び光出射口７は、いずれも光出射の光軸（図２に限っては一点鎖線で表示）を中心として形成されている。
【００３１】
光学ボックス１１の内部には、生成した光を放射するためのＸｅＦランプ１２と反射ミラー１３とが配置されている。ＸｅＦランプ１２は、その放射側を光学ボックス１１の背面１１ｂに設けられた開口部１１ｄを通して光学ボックス１１内に配置されることができる。ＸｅＦランプ１２の長手方向の軸は、上記光軸と同じ方向に延びるように配置される。また、光学ボックス１１の背面１１ｂには固定枠１１ｅが設けられており、ＸｅＦランプ１２は、放射反対側の端部に設けられたランプフランジ１２ａを介してこの固定枠１１ｅに着脱自在に嵌め込まれる。このことにより、ＸｅＦランプ１２は、出射開口部１１ｃ及び光出射口７に接続されたファイバ７ｂに最大光量が得られるように、最適に位置調整される。
【００３２】
反射ミラー１３としては、例えば楕円集光ミラーなどの所定形状を有するとともに、その内面に反射面が形成されたミラーが用いられる。ＸｅＦランプ１２から放射された光は反射ミラー１３によって反射・集光され、出射開口部１１ｃを介して光出射口７に入射される。光出射口７を経た光は、ファイバ差込口７ａに接続されたファイバ７ｂに入射されて、外部に出射される。なお、図示はしないが、ＸｅＦランプ１２と出射開口部１１ｃとの間にシャッターを設け、このシャッターによって光の出射のＯＮ／ＯＦＦが切り換えられるようにしてもよい。また、光軸上には、シャッターに加えて、光量絞りや光透過フィルタなどの要素を必要に応じて更に設置しても良い。
【００３３】
光学ボックス１１は、上部ハウジング３から所定の間隔をあけて設置されており、その間隔による空間は、空気流によって装置内部の各部を冷却するための通気路として用いられる。
【００３４】
ＸｅＦランプ１２の放射側の反対側の端部にはステムピン１２ｂが設けられている。ＸｅＦランプ１２と同軸方向に延びる例えば円筒状のトリガソケット１４は、一端が、このステムピン１２ｂに着脱自在に嵌め込まれることにより、駆動部６からの電力をＸｅＦランプ１２に供給することができる。なお、トリガソケット１４の上記一端には、ステムピン１２ｂが嵌め込まれるようにステムピン挿入穴が設けられている。また、トリガソケット１４は、ケーブル１４ａ、ソケット側コネクタ１５（コネクタ）、駆動部側コネクタ１６（電源供給連結部）を介して、駆動部６と電気的に接続されている。
【００３５】
フラッシュ光源装置１の内部は、仕切り板１７により、光源部５と駆動部６とに分離されている。図示はしないが、仕切り板１７の下部の駆動部６に設置されている駆動装置は、電源部、駆動回路、制御用コンピュータなどを有して構成されている。下部ハウジング４の背面４ｂには電源供給部１８が設置されており、駆動装置はこの電源供給部１８を通じて外部から電源を供給される。
【００３６】
仕切り板１７上には、駆動部側コネクタ１６が設けられている。駆動部６からの電源や制御信号を光源部５内の装置各部に伝えるための駆動部側コネクタ１６は、ソケット側コネクタ１５と着脱自在に、仕切り板１７上に取り付けられている。この駆動部側コネクタ１６は、後述する蓋部９の近くに配置される。また、仕切り板１７上には通気孔（図示せず）が設けられており、外気取込口１０から下部ハウジング４内部に取込まれた外気が上部ハウジング３内に流入されるための通気路として用いられる。
【００３７】
引き続いて、蓋部９について、図３〜４を参照しながら説明する。図３は、フラッシュ光源装置１を上部ハウジング３の背面３ｂ側からみた斜視図である。また、図４は、図３において、蓋部９を開けた状態を示している。
【００３８】
図３〜４に示すように、上部ハウジング３において、トリガソケット１４の一部、ケーブル１４ａ、ソケット側コネクタ１５、駆動部側コネクタ１６等を収容する部分は、蓋部９を含んで構成されている。上部ハウジング３において、蓋部９とともに上部ハウジング３を構成している蓋部９以外の部分を上部ハウジング３の本体部という。ユーザは、この蓋部９を開けることで、上記収容された各部装置に接近することができる。
【００３９】
蓋部９は、背面９ａ（主蓋部）、左側面９ｂ及び右側面９ｃ（側面部）が一体化されてなる。背面９ａは、上部ハウジング３の背面３ｂの全面或いはその一部から構成されることができる。本実施形態においては、蓋部９の背面９ａによって開放される領域をなるべく広く確保するために、蓋部９の背面９ａは、上部ハウジング３の背面３ｂの全面により構成されている。
【００４０】
左側面９ｂは上部ハウジング３の左側面３ｃの一部により構成され、右側面９ｃは上部ハウジング３の右側面３ｄの一部により構成される。このように、蓋部９は、両側面９ｂ、９ｃをともに有するように構成されている。すなわち、例えば図４に示すように、蓋部９が開けられたときには、上部ハウジング３は両側面３ｃ，３ｄにおいて開放面をもつことができる。このことによって、例えば上部ハウジング３が両側面３ｃ，３ｄのうち何れか一面のみにおいて開放面をもつ場合と比べて、ユーザの利き手がどちらかによって作業性が変化することを防止できる。
【００４１】
また、これらの両側面９ｂ，９ｃは、四半円の相似形状である。本実施形態においては、蓋部９の両側面９ｂ，９ｃによって開放される領域をなるべく広く確保するために、両側面９ｂ，９ｃは、図３に示すように、背面９ａの高さＤを半径とする四半円の形状として構成されている。ここで、上記四半円の中心は、後述するヒンジ部材２０の開閉軸上にある。
【００４２】
蓋部９の背面９ａの上部には、装置外部に突出したネジ１９が設けられている。ユーザは、例えば図４に示すように、このネジ１９の突出した部分をつかんで回して引くことにより、蓋部９を開けることができる。また、上部ハウジング３の上面３ｅの蓋部９側の一端に設けられた孔形成部１９ａにはネジ挿入孔１９ｂが形成されており、ネジ１９がこのネジ挿入孔１９ｂに挿入されることにより、蓋部９は上部ハウジング３を閉じることができる。
【００４３】
蓋部９は、背面９ａと下部ハウジング４の背面４ｂとを跨いで設けられたヒンジ部材２０を介して、開閉される。ヒンジ部材２０の一端２０ａは蓋部９の背面９ａに取り付けられており、ヒンジ部材２０の他端２０ｂは下部ハウジング４の背面４ｂに取り付けられている。ユーザがネジ１９を回して引くと、蓋部９は、ヒンジ部材２０の開閉軸を中心とした円を描きながら開けられる。
【００４４】
また、図４に示すように、上部ハウジング３の本体部において、蓋部９の両側面９ｂ，９ｃの円弧部分９ｄと接する部分である接続部３ｆには、円弧部分９ｄをスライドさせるための本体部スライド部３ｇが設けられている。この本体部スライド部３ｇは、例えば、上部ハウジング３の両側面３ｃ，３ｄの内側であって円弧部分９ｄと接する部分に設けられた壁状の板によって構成されることができる。この本体部スライド部３ｇは、蓋部９の開閉時に、円弧部分９ｄに対するガイドになるため、蓋部９の両側面９ｂ，９ｃは、この本体部スライド部３ｇを介して、スムーズに移動することができる。また、本体部スライド部３ｇは、接続部３ｆと円弧部分９ｄとの間の隙間を塞ぐので、装置内部に対する密閉性を向上させることができる。
【００４５】
また、図示はしないが、蓋部９の円弧部分９ｄに蓋部スライド部を設けても良い。この蓋部スライド部は、例えば、蓋部９の円弧部分９ｄに設けられた壁状の板によって構成されることができる。この場合には、蓋部スライド部は、蓋部９の開閉時に、接続部３ｆに対するガイドになることができる。このため、蓋部９の両側面９ｂ，９ｃは、この蓋部スライド部を介して、スムーズに移動することができる。更に、本体部スライド部３ｇ、蓋部スライド部のそれぞれの厚みを薄くすることによって、上部ハウジング３と蓋部９の両方にスライド部を設けても良い。
【００４６】
また、蓋部９の両側面９ｂ，９ｃの下部ハウジング４と接する部分にも、壁状のスライド部９ｅが設けられている。このスライド部９ｅは、上記本体部スライド部３ｇ又は蓋部スライド部と同様な作用効果を奏する。このスライド部９ｅには、固定部９ｆが更に設けられていてもよく、この場合には、固定部９ｆが挿入されるように、仕切り板１７上の所定位置に挿入溝１７ａが更に設けられる。また、図示はしないが、上部ハウジング３の本体部にスライド部９ｅに相当するものを設けても良く、上部ハウジング３の本体部及び蓋部９の両方にスライド部９ｅに相当するものを設けても良い。
【００４７】
蓋部９が開けられて上部ハウジング３から離れた後に、蓋部９は、下部ハウジング４の背面４ｂ側、つまり上部ハウジング３の下側に位置される。また、上述したように、両側面９ｂ，９ｃは、半径Ｄを有する四半円の形状として構成されているため、蓋部９が上部ハウジング３から離れて上部ハウジング３の下側に位置された場合に、蓋部９はハウジング２の上部側には残らない。したがって、フラッシュ光源装置１の上方に空間的な余裕があるかないかにかかわらず、蓋部９による開閉が可能となる他、蓋部９は、ユーザが上部ハウジング３の開放された領域にて装置内部作業をする際の邪魔になりにくい。
【００４８】
また、蓋部９が開けられると、蓋部９の両側面９ｂ，９ｃの円弧部分９ｄが装置外側に現れる。すなわち、滑らかな円形の縁がユーザの手等のある場所に位置するようになり、このことによって、ユーザの作業安全性を向上させることができる。図示はしないが、ユーザの作業安全性を向上させる更なる方法として、蓋部９の縁において角が現れないように加工を加えてもよく、或いは蓋部９の縁を例えばゴムなどの保護部材で覆うようにしてもよい。
【００４９】
また、蓋部９の背面９ａには、通風孔２１及び送風ファン２２が設けられている。送風ファン２２の吸引力により外気取込口１０から吸い込まれた外気は、例えば仕切り板１７上に設けられた通気孔、光学ボックス１１と上部ハウジング３との間の空間等を通じて流され、通風孔２１から装置外部に排出される。送風ファン２２は、トリガソケット１４と対向する背面９ａに設けられているため、トリガソケット１４の冷却効率を向上させることができる。
【００５０】
引き続いて、ＸｅＦランプ１２、トリガソケット１４等に対する交換やその他のメンテナンス方法について説明する。まず、ユーザは、例えば図４に示したように、ネジ１９の突出した部分をつかんで回して引くことにより、蓋部９を開けることができる。蓋部９は、重力により下に落ちるが、ヒンジ部材２０を介して下部ハウジング４と取り付けられているため、下部ハウジング４の近くに留まる。
【００５１】
次に、ユーザは、合計３面において開放面を有する上部ハウジング３の内部に手を入れて、ソケット側コネクタ１５を駆動部側コネクタ１６より外す。上述したように、駆動部側コネクタ１６は、蓋部９によって開放された領域に設けられているため、ユーザは開放された領域に手を入れて駆動部側コネクタ１６に接近しやすい。このことにより、ソケット側コネクタ１５に対する着脱作業性が向上される。
【００５２】
次に、ユーザは、開放された上部ハウジング３の内部の更に奥の方に手を入れて、ＸｅＦランプ１２を固定枠１１ｅから抜き出す。このことにより、ユーザは、ＸｅＦランプ１２を光学ボックス１１から外すことができる。そして、ＸｅＦランプ１２と、ＸｅＦランプ１２に嵌め込まれたトリガソケット１４等を装置外部に持ち出すことができる。次に、ユーザは、トリガソケット１４等をＸｅＦランプ１２から抜き出す。
【００５３】
そして、ユーザは、ＸｅＦランプ１２或いはトリガソケット１４等に対する交換やその他のメンテナンス作業を行うことができる。作業後は、上述した手順の逆順による逆動作により、ＸｅＦランプ１２及びトリガソケット１４等を装置内部に再配置させることができる。
【００５４】
なお、上記交換方法においては、ソケット側コネクタ１５を駆動部側コネクタ１６より外しているが、例えばＸｅＦランプ１２のみに対する作業を行う際には、ソケット側コネクタ１５を駆動部側コネクタ１６より外さなくてもよい。この場合には、ユーザは、ＸｅＦランプ１２を固定枠１１ｅから抜き出してから、トリガソケット１４、ケーブル１４ａ、ソケット側コネクタ１５を介して、駆動部側コネクタ１６につながった状態で、ＸｅＦランプ１２を装置外部に持ち出すことができる。このとき、ケーブル１４ａは、図２或いは図４に示したように、余裕をもって長く設けられている。
【００５５】
また、本実施形態に限っては、ケーブル１４ａ及びソケット側コネクタ１５は、トリガソケット１４と一体化されている。このため、トリガソケット１４の交換時には、ケーブル１４ａ及びソケット側コネクタ１５をも１セットとしてまとめて交換する。
【００５６】
以上のような本実施形態のフラッシュ光源装置１によれば、ＸｅＦランプ１２及びトリガソケット１４等を収容している上部ハウジング３は、開閉自在に備えられた蓋部９によって開放される。この蓋部９は、上部ハウジング３の背面３ｂの少なくとも一部と、背面３ｂと隣り合う両側面３ｃ，３ｄのうち少なくとも一面の一部とが一体化されてなる。このため、蓋部９によってトリガソケット１４の収容部分の一部が開放される際には、上部ハウジング３の或る一つの面のみが開放されることではなく、一体化された複数の面が共に開放される。つまり、ユーザは、蓋部９によって開放されトリガソケット１４に接近可能な領域を複数の面にわたって広く確保することができる。したがって、トリガソケット１４と嵌合されたＸｅＦランプ１２等の消耗品の交換、その他のメンテナンスといった装置内部作業において、作業性を高めることができる。
【００５７】
以上、本発明の好適な実施形態について説明したが、本発明は上記実施形態に限定されないことは言うまでもない。
【００５８】
例えば、本実施形態においては、蓋部９が両側面を有するように構成したが、これに限られることなく、蓋部９が両側面のうちいずれか一側面のみを有するように構成しても良い。
【００５９】
また、本実施形態においては、蓋部９の背面９ａは、上部ハウジング３の背面３ｂの全面により構成されているが、これに限られることなく、蓋部９の背面９ａが上部ハウジング３の背面３ｂの一部のみにより構成されても良い。
【図面の簡単な説明】
【００６０】
【図１】本実施形態に係るフラッシュ光源装置の外面構成を示す斜視図である。
【図２】図１のフラッシュ光源装置の内部構成を示す右側面図である。
【図３】図１のフラッシュ光源装置の蓋部を説明するための図である。
【図４】図３において、蓋部を開けた状態を示す図である。
【符号の説明】
【００６１】
１…フラッシュ光源装置、２…ハウジング、３…上部ハウジング、３ａ…前面、３ｂ…背面、３ｃ…左側面、３ｄ…右側面、３ｅ…上面、３ｇ…本体部スライド部、４…下部ハウジング、４ａ…前面、４ｂ…背面、４ｃ…左側面、４ｄ…右側面、４ｅ…底面、５…光源部、６…駆動部、７…光出射口、７ａ…ファイバ差込口、８…操作パネル、９…蓋部、９ａ…背面、９ｂ…左側面、９ｃ…右側面、９ｄ…円弧部分、９ｅ…スライド部、９ｆ…固定部、１０…外気取込口、１１…光学ボックス、１１ａ…前面、１１ｂ…背面、１１ｃ…出射開口部、１１ｄ…開口部、１２…ＸｅＦランプ、１２ａ…ランプフランジ、１２ｂ…ステムピン、１３…反射ミラー、１４…トリガソケット、１４ａ…ケーブル、１５…ソケット側コネクタ、１６…駆動部側コネクタ、１７…仕切り板、１７ａ…挿入溝、１８…電源供給部、１９…ネジ、２０…ヒンジ部材、２１…通風孔、２２…送風ファン。
【図１】
2008047364.tif 000003
【図２】
2008047364.tif 000004
【図３】
2008047364.tif 000005
【図４】
2008047364.tif 000006